(57)【要約】【課題】匂いの発生を抑制でき、かつ健康増進効果を図ることができる織物、その織物を用いた時計バンドおよびその織物の製造方法を提供する。【解決手段】織物１０は、球径１５０μｍ〜６００μｍの多数の球状活性炭２３を細幅状の布材２２に含ませてなる帯布材１１と、繊維材よりなる糸１２とを縦横に組み合わせて形成されるようになっている。【選択図】図２
2018135617.tif 000002
【特許請求の範囲】
【請求項１】
球径１５０μｍ〜６００μｍの多数の球状活性炭を細幅状の布材に含ませてなる帯布材と、繊維材よりなる糸とを縦横に組み合わせて形成されたことを特徴とする織物。
【請求項２】
請求項１において、
前記帯布材には無機系の抗菌剤が含まれていることを特徴とする織物。
【請求項３】
請求項１または２において、
前記帯布材には消臭剤が含まれていることを特徴とする織物。
【請求項４】
請求項１〜４のいずれか１項に記載された織物を用いて成形したことを特徴とする時計バンド。
【請求項５】
球径１５０μｍ〜６００μｍの多数の球状活性炭を布シートに含有させてシート材を形成し、
前記シート材を細幅状に切断して帯布材を形成し、
前記帯布材と、繊維材よりなる糸とを組み合わせて、一方を縦糸として、他方を横糸として縫製して形成したことを特徴とする織物の製造方法。
【発明の詳細な説明】
【技術分野】
【０００１】
本発明は織物、これを用いた時計バンドおよび織物の製造方法に関する。
【背景技術】
【０００２】
従来の織物には炭素繊維を含ませてなるものが種々提案されている（たとえば、特許文献１参照）。このようなものを衣料として用いれば、炭素による遠赤外線の放射やマイナスイオンの発生による健康増進効果を図ることができる。
【先行技術文献】
【特許文献】
【０００３】
【特許文献１】特開２００１−２８８６５６号公報
【発明の概要】
【発明が解決しようとする課題】
【０００４】
ところで、炭素材料として脱臭作用のある活性炭が種々の用途に用いられているが、活性炭を織物に含有させることは、従来では提案されていない。織物に活性炭を含有させた衣料によれば、遠赤外線などの健康増進効果に加えて、汗などによる匂いの発生の抑制効果も期待できるため、そのような活性炭を織物に含ませる技術の開発が望まれていた。
【０００５】
本発明は、このような事情を考慮して提案されたもので、その目的は、匂いの発生を抑制でき、かつ健康増進効果を図ることができる織物、その織物を用いた時計バンドおよびその織物の製造方法を提供することにある。
【課題を解決するための手段】
【０００６】
上記目的を達成するために、本発明の織物は、球径１５０μｍ〜６００μｍの多数の球状活性炭を細幅状の布材に含ませてなる帯布材と、繊維材よりなる糸とを縦横に組み合わせて形成されたことを特徴とする。
【０００７】
請求項２に記載の織物は、前記帯布材には無機系の抗菌剤が含まれていることを特徴とする。
【０００８】
請求項３に記載の織物は、前記帯布材には消臭剤が含まれていることを特徴とする。
【０００９】
請求項４に記載の時計バンドは、前記織物を用いて成形されていることを特徴とする。
【００１０】
請求項５に記載の織物の製造方法は、球径１５０μｍ〜６００μｍの多数の球状活性炭を布シートに含有させてシート材を形成し、前記シート材を細幅状に切断して帯布材を形成し、前記帯布材と、繊維材よりなる糸とを組み合わせて、一方を縦糸として、他方を横糸として縫製して形成したことを特徴とする。
【発明の効果】
【００１１】
本発明の織物および時計バンドによれば、上述の構成となっているため、身に着けることで匂いの発生を抑制でき、かつ健康増進効果を図ることができる。また、本発明の織物の製造方法によれば、そのような織物や時計バンドを製造することができる。
【図面の簡単な説明】
【００１２】
【図１】本実施形態に係る織物の説明図である。（ａ）は織物の形成に使用されるシート材の分解拡大縦断面図、（ｂ）は織物に用いられる帯布材の拡大縦断面図である。
【図２】織物の形成例を示す模式平面図である。
【図３】図２に示した織物で形成した時計バンドを用いた腕時計の平面図である。
【発明を実施するための形態】
【００１３】
以下に、本発明の実施の形態について、添付図面をもとに説明する。
【００１４】
以下の実施形態に係る織物は、図１および図２に示すように、微小な球状活性炭２３を細幅状の布材２２に含ませてなる帯布材１１と、繊維材よりなる糸１２とを縦横に組み合わせて形成されている。
【００１５】
このような織物１０は、たとえばつぎのような手順で製造される。
まず、球径１５０μｍ〜６００μｍ程度の微小な多数の球状活性炭２３を布シート２１に含有させてシート材２０を形成し、ついで、図１（ａ）に示すように、そのシート材２０を細幅状に切断して帯布材１１を形成し、その帯布材１１と、繊維材よりなる糸１２とを組み合わせて、一方を縦糸として、他方を横糸として縫製して形成される。
【００１６】
このような織物１０によれば、球状活性炭２３が発する遠赤外線の作用による健康増進効果を奏する。また、この織物１０を衣料に適用した場合、特に皮膚に直接身に着けるものについては、体臭の脱臭効果も奏せられる。
【００１７】
以下、具体的に説明する。
この織物１０は、図１（ｂ）の縦断面図に示すような帯布材１１を用いて製造される。帯布材１１は、次の手順により製される。帯布材１１は糸状のものでもよいし、所定の幅寸法（１０ｍｍまで）のものであってもよい。
【００１８】
まず、２枚の布シート２１の間に多数の微小な球状活性炭２３（以下、たんに球状活性炭２３という）を挟み、両布シート２１間を固着してシート材２０を形成する。布シート２１としては、綿、絹などの天然繊維を原料としたものや、ナイロン、レーヨンなどの化学繊維を原料としたものを適用できる。
【００１９】
球状活性炭２３としては、フェノール樹脂を炭化させて形成した球径１５０μｍ〜６００μｍの略真球状のもので、炭素純度９９．９％、１グラム当たりの比表面積が２０００〜３５００平方メートル程度の多孔質のものを使用することが望ましい。
【００２０】
たとえば、Ｂ’ｓ  Ｗｉｐｅｒ（登録商標）や、特許第４２６６７１１号公報および特許第４３０８７４０号公報に開示された製法で製造されたものを好適に使用することができる。
【００２１】
この球状活性炭２３は、アイオノマー樹脂溶液２４に浸けた状態のものを２枚の布シート２１間に設けることでシート材２０に含ませることができる。すなわち、図１（ａ）に示すように、多数の球状活性炭２３を浸した上記溶液を一方の布シート２１の一方の面に塗り、その上に他方の布シート２１を貼りつける。その後、４０℃で硬化させて、球状活性炭２３を両布シート２１に挟んだ状態で両布シート２１間を固着してシート材２０を形成する。
【００２２】
アイオノマー樹脂溶液２４を４０℃で硬化させれば、球状活性炭２３を内部に含んだ硬化物はひび割れ状態となるが、そのひび（裂け目）が気体の流通路となり、布シート２１内の繊維間空隙を通じて、球状活性炭２３の表面が外気と接触することが可能となる。なお、このようにして球状活性炭２３をシート材２０に含ませれば、球状活性炭２３がシート材２０より抜け出にくくなる。
【００２３】
また、球状活性炭２３に無機系の抗菌剤を含ませるようにしてもよい。無機系の抗菌剤としては、抗菌作用を有する金属や金属イオンを無機系担体に担持させて構成したものを用いてもよい。このような無機系の抗菌剤としては、たとえば粉体である銀系の無機系抗菌剤（たとえば、ノバロン（登録商標））を用いてもよい。
【００２４】
また、球状活性炭２３に消臭剤を含ませるようにしてもよい。消臭剤としては、臭い成分を活性酸素で酸化して別の物質に変化させてその臭い成分を分解する作用を有するものを用いてもよい。このような消臭剤として、ＤＥＯＲＡＳＥ（登録商標）がある。このＤＥＯＲＡＳＥ（登録商標）は、アルカリ条件での中心金属の脱離による消臭効果の低下が見られず、生体内の酵素に似たサイクル反応をもたらすため、他の化学反応を用いた消臭剤と比べて、格段に消臭効果が持続する。また、一般的に、上記サイクル反応の反応性は、吸湿による水分により低下することが知られているが、ＤＥＯＲＡＳＥ（登録商標）では、逆に吸湿により反応性が向上することがわかっている。
【００２５】
なお、消臭剤としては、これ以外に、たとえば、人工酵素である鉄系フタロシアニンなどを用いたものを採用してもよい。
【００２６】
無機系の抗菌剤、消臭剤のすくなくとも一方を球状活性炭２３に含ませる場合、球状活性炭２３を浸したアイオノマー樹脂溶液２４に消臭剤等を溶解または分散させて、球状活性炭２３に吸着させるようにすればよい。球状活性炭２３は多孔質であるため、このような方法で球状活性炭２３の孔内に無機系の抗菌剤や消臭剤を簡易に含ませることができる。なお、無機系の抗菌剤や消臭剤は球状活性炭２３に担持させるのではなく、シート材２０のその他の部位、たとえば布シート２１内に含ませるようにしてもよい。
【００２７】
ついで、このように形成されたシート材２０を細幅状に切断することで、図１（ｂ）に縦断面図に示したような帯布材１１が形成される。図２に示すように、帯布材１１を縦糸とし、他の繊維材よりなる糸１２を横糸として縫製することで織物１０を形成することができる。
【００２８】
織物１０は目的に合わせた寸法、形状のものに形成されればよく、種々のもの、たとえば衣料として使用することができる。たとえば西陣織の技法を用いて、織物１０の表裏面に模様や図柄を表出することもできる。たとえば図３に示すように、腕時計３０の本体３２に接続される２つの時計バンド３１を、上記のように縫製した織物１０で構成するようにしてもよい。なお、時計バンド３１を形成する場合、上記シート材２０に芯材（補強材）による中間層を含ませるようにしてもよい。
【００２９】
このような織物１０は、時計バンド３１やスカーフなど、デザイン性が求められる種々の衣料に好適に利用することができる。
【００３０】
この織物１０の帯布材１１に含まれる球状活性炭２３は多孔質であるため、分子の吸い取り機能および脱臭機能を有する。したがって、この織物１０を皮膚に直接身に着ける衣料などに適用すれば、球状活性炭２３による汗や皮脂の吸い取り効果、体臭の脱臭効果が奏せられる。また、球状活性炭２３による遠赤外線作用が発揮され、人体の血流効果にも寄与させることができる。
【００３１】
ようするに、この織物１０で時計バンド３１などの皮膚に直接身に着ける衣料を形成すれば、織物１０によるデザイン性の付与、遠赤外線の放射による健康増進および汗、皮脂の吸い取り、脱臭など複数の効果が奏せられる。
【００３２】
また、人体の汗や皮脂などが織物１０内に吸い取られると、接触する皮膚に存在する雑菌によってこれらが分解され、いわゆる分解臭である悪臭が生じるおそれがあるが、上記のような抗菌剤を織物１０内に含ませておけば、雑菌がこれにより死ぬので、雑菌による汗や皮脂などの分解が抑えられ、悪臭の発生自体が抑制される。また、消臭剤が織物１０内に含まれている場合には、汗や皮脂などが消臭剤により分解されるので、雑菌が分解する対象物がなくなり、これによっても悪臭の発生が抑制される。
【００３３】
したがって、織物１０内の球状活性炭２３は雑菌の発生による劣化が少なく、長期間にわたり球状活性炭２３としての機能を発揮することができる。よって、この織物１０には汚れ自体が溜まりにくく、少ない洗剤量での洗濯が可能となる。
【００３４】
また、帯布材１１は、上述したような方法で球状活性炭２３をシート材２０に含ませてから切断にて形成されたものであるため、球状活性炭２３が帯布材１１から抜け出る可能性は低く、かりに抜け出たとしても、略真球状であるため、その球状活性炭２３で皮膚を傷つけるおそれはほとんどなく、２００μｍよりも大きなものを用いれば、毛穴に入り込むおそれもない。さらに、球状活性炭２３は略真球状であるため、変形や破損がしにくく、よって皮膚などへの色移りもしにくい。
【００３５】
つぎに、球状活性炭２３（炭素材料）による遠赤外線作用について説明する。
人体は、身体組成の６０％は水分、２５％以上は炭素で構成されており、３６．５℃の平均体温で常に１０ミクロンの遠赤外線を放射しているので、織物１０で形成した衣料が皮膚に接触すると、人体が遠赤外線を吸収して加温される。すなわち、炭素材料（球状活性炭２３）と人体との間で同じ波長の遠赤外線を放射しあうことにより、炭素材料は約３６．５℃の温度を維持する一方で、頭部の中では水分子が激しく衝突して、この振動が運動エネルギーとなって、熱に変換され人体が加温される。
【００３６】
その結果、遠赤外線が皮下組織や血管などに作用して血流が改善されるが、本発明者によれば、末梢、中枢の血流に１５％の上昇効果があることが確認されている。また、これらの炭素材料は、α波を発生して、身体を癒し健康増進に寄与する。
【００３７】
以上には、織物１０の縦糸を構成する帯布材１１の製造方法として、球状活性炭２３を２枚の布シート２１で挟み、そうして形成したシート材２０を細幅状に切断する方法を例示したが、これには限られない。たとえば、１枚の布シート２１内に球状活性炭２３を含有させ、それを細幅状に切断して帯布材１１を形成してもよい。また、細幅状の布材２２内に球状活性炭２３を含有させて帯布材１１を形成するようにしてもよい。
【００３８】
また、球状活性炭２３を２枚の布シート２１で挟み込む方法としては、アイオノマー樹脂溶液２４を用いる手法（図１参照）には限定されない。たとえば、一方の布シート２１の表面に接着剤を塗布し、その上に多数の球状活性炭２３を分散配置させ、その上から他方の布シート２１を貼りつけるようにしてもよい。
【符号の説明】
【００３９】
１０        織物
１１        帯布材
１２        糸
２０        シート材
２１        布シート
２２        布材
２３        球状活性炭
２４        アイオノマー樹脂溶液
３０        腕時計
３１        時計バンド
３２        本体
【図１】
2018135617.tif 000003
【図２】
2018135617.tif 000004
【図３】
2018135617.tif 000005